(57)【特許請求の範囲】
【請求項１】
複数の球部を連結部により繋いでなる球鎖を使用した、ＥＤ患者用の補助バンドの留具であって、前記留具は留具本体とロック体とからなるものとし、前記留具に前記球鎖を通す方向を前後方向とし、
前記留具本体は、基部と、前記基部の左右前側にそれぞれ設けた左腕部及び右腕部と、前記左腕部の前方右側に設けた左止部と、前記右腕部の前方左側に設けた右止部と、前記基部の上部前側に設けたガイド部と、前記基部の下部後側に設けた保持部とからなるものとして、前記留具本体の下側を開放し、前記左止部と前記右止部の先端部分は、前後方向から見て互いに重なり合うものとし、
前記基部は、前記球鎖の球部を通す穴（以下単に「球通穴」という。）である基鎖穴を有するものとし、前記左止部及び前記右止部は球通穴である左鎖穴及び右鎖穴をそれぞれ有するものとし、前記ガイド部は長穴であるガイド穴を有するものとし、
前記保持部に、前記球鎖の端部にある球部（以下単に「端球部」という。）を掛け止めることが可能な構成とし、さらに前記保持部は、前記球鎖の連結部は通すが球部は通さない長穴であって、前記基鎖穴とつながる溝穴を有するものとし、前記保持部に前記端球部を掛け止めたときに、前記端球部に連結する連結部が前記溝穴を貫通するよう構成し、
前記ロック体を前記ガイド穴を貫通させて取り付け、前記ガイド穴によって前記ロック体を案内することにより、前記基部近くから前記左止部及び前記右止部近くの位置まで、前記ロック体を移動可能に構成し、
前記ロック体を前記基部近くに置き、前記左腕部と前記右腕部の前側先端部を指で摘んで押した場合に、前記左腕部及び前記右腕部が撓んで前記左止部と前記右止部とが重なる範囲が拡大し、前記左鎖穴と前記右鎖穴とが概一致して、球鎖の前記球部を通すことが可能になるものとし、
前記ロック体を前記左止部及び前記右止部に近づけて置いた場合は、前記左腕部と前記右腕部が撓むことを前記ロック体が制限し、前記左鎖穴と前記右鎖穴とが重なってできる開口は、球鎖の前記球部を通さない構成としたことを特徴とする留具。  
【請求項２】
請求項１に記載した留具であって、左腕部と右腕部の前側先端部を指で摘んで押した場合に、前記左腕部及び前記右腕部がガイド部にそれぞれ接触するよう構成し、前記左腕部及び前記右腕部が前記ガイド部に接触したときに左鎖穴と右鎖穴とが概一致して、球鎖を通すことが可能になるよう構成したことを特徴とする留具。
【請求項３】
請求項１又は請求項２のいずれかに記載した留具であって、ロック体は板状のロック部を有するものとし、さらに、前記ロック部に球通穴であるロック穴を設けたことを特徴とする留具。
【請求項４】
請求項１〜請求項３のいずれかに記載した留具であって、留具本体の基部、左腕部、右腕部、左止部、右止部、ガイド部及び保持部が、いずれも同じ一枚の板から抜き出してなるものとし、前記左腕部、前記右腕部、前記ガイド部及び前記保持部が、それぞれ前記基部に対して折り曲げてなる構成とし、また、前記左止部が前記左腕部に対して折り曲げてなる構成とし、さらに、前記右止部が前記右腕部に対して折り曲げてなる構成としたことを特徴とする留具。
【請求項５】
請求項１〜請求項４のいずれかに記載した留具と、球鎖及び保護カバを有することを特徴とするＥＤ患者用の補助バンド。
【請求項６】
請求項５に記載したＥＤ患者用の補助バンドであって、留具と球鎖とによって構成する環の内側に前記保護カバを設け、前記保護カバの環の外周を開放したことを特徴とするＥＤ患者用の補助バンド。
【発明の詳細な説明】
【技術分野】
【０００１】
本発明は、勃起の発現あるいは維持ができないために満足な性交ができない障害（以下単に「ＥＤ」という。）を有する患者が満足な性交を行うために有用な補助バンドであって、男性性器をくくり締めることにより勃起を助長し、さらに勃起を維持させる効果が得られるようにした、ＥＤ患者用の補助バンドに関する。
【背景技術】
【０００２】
ストレスやマンネリなどの精神的な問題により性的興奮がなくなったり、生活習慣病により動脈硬化をひき起こし、血管内皮細胞の損傷や海綿体動脈の狭小化などによる、男性性器に流入する血流の障害により、勃起に必用で十分な血液が男性性器に供給されない、などの原因によりＥＤは引き起こされると考えられている。
日本性機能学会のメンバーが西暦２０００年に日本国内において行ったアンケート結果によると、既婚男女のうちの約３０％がＥＤの悩みを持っており、性生活の満足度について「とても満足」又は「まあ満足」と答えたのは、夫がＥＤでない女性では５５．９％だったのに対し夫がＥＤの女性は２３．６％と低く、ＥＤはパートナーの満足度に大きな影響を与えているとのことであった。
日本人男性のＥＤ有病率は加齢と共に上昇する傾向を有しているが、年を取ったからといって性的要求がなくなることはなく、夫婦が仲良く暮らすためには豊かな性生活は大切なものである。
【０００３】
従来からＥＤ患者に対する複数の経口勃起障害治療薬が知られている。しかし、これらの薬は、糖尿病や高血圧などの生活習慣病を有するＥＤ患者には効果が不十分である。さらに、医師の処方を必要とする薬に定められているため、医師による診断を望まないＥＤ患者や、糖尿病や高血圧など血管内皮障害を有する可能性の高いＥＤ患者には、経口勃起障害治療薬のような薬を使用することはできない問題がある。
また、男性性器にシリンダをかぶせてポンプなどでシリンダの中を真空にして男性性器を勃起させる補助具の発明（例えば、特許文献１、２参照。）があった。しかし、これらの補助具は、構造が複雑で取り扱いに熟練を要したり、補助具が持ち運びに適さず高価となるなどの問題を有していた。
さらに、バンド状の補助具を男性性器の根元に取り付け、勃起時の膨張する力を利用して静脈を締め付ける発明（例えば、特許文献３、４参照。）も提案されている。しかし、これらの方法には、取り付け寸度が男性性器の個人差による太さの違いに容易に適合しない問題や、男性性器の寸法に合わせて取り付けることはできても、膨張前の男性性器には十分な拘束力を与えることができず、男性性器が十分膨張しない場合は効果を挙げることができない問題があった。
【０００４】
また、被縛物を必要な緊縛度に緊縛する発明（例えば、特許文献５参照）も提案されている。しかし係る発明を使用する場合は、コードの両端を引っ張りながら固定板をコード間に押し込む必要がある。片手では両端のコードを引っ張ることはできず、コードの両端を引っ張るために両手を必要とするので、他人に固定板をコード間に押し込んでもらわなければならず、使用者が１人で装着できない問題があった。
本願出願人は、以上の問題を解決するため、男性性器の個人差による太さの違いに容易に適合可能であって、膨張前の男性性器をくくり締めることにより静脈を狭めて静脈の鬱血を促し、積極的に男性性器の勃起を起こす機能を持つＥＤ患者用の補助バンドであって、使用者が自分一人で脱着することを可能とし、皮膚に接する部分を柔らかな素材のチューブで覆うことにより男性性器に痛みを与えず、かつ、くくり締めた状態から素早く解放することができる、ＥＤ患者用の補助バンドを提案した（特許文献６参照。）。
しかしかかる発明は、留具と球鎖とチューブを容易に分解できない問題と、留具の中の部品、留具の内面及びチューブの内面などの洗浄作業に手間がかる問題があった。
ＥＤ患者用の補助バンドを清潔な状態に維持するためには、使用後にきれいに洗浄する必用があることを考慮して、本願発明者は、分解及び洗浄作業に手間のかからないＥＤ患者用の補助バンドの開発を行った。
【先行技術文献】
【特許文献】
【０００５】
【特許文献１】特開昭６２−２９８３５２号公報
【特許文献２】実開平６−７４１１９号号公報
【特許文献３】特開昭５５−１５５６４４号公報
【特許文献４】実開昭６２−８２０２５号公報
【特許文献５】特公告昭５２−１６６７９号公報
【特許文献６】特許第４０７７２１９号公報
【発明の概要】
【発明が解決しようとする課題】
【０００６】
男性性器を確実にくくり締めることが可能であって、留具の内部に洗浄を阻害する部分がなく、留具と球鎖と保護カバを簡単に分解することが可能であって、洗浄に手間のかからないＥＤ患者用の補助バンドを提供することにある。
【課題を解決するための手段】
【０００７】
下側を開放した留具と球鎖及び保護カバからなるＥＤ患者用の補助バンドとし、保護カバの環の外周を開放することにより保護カバの脱着を容易にする。
また、留具本体の基部に球鎖の球部を通す穴（以下単に「球通穴」という。）である基鎖穴を設け、基鎖穴につながる溝穴を有する保持部に、球鎖の端部にある球部（以下単に「端球部」という。）を掛け止め、端球部に連結する連結部（以下単に「端球連結部」という。）を溝穴を通して、球鎖を留具に吊り下げる構成にする。
また留具に球鎖を通す方向を前後方向として、留具本体は左右の腕部及び左右の止部を有するものとし、左右の腕部を押して撓ませると、左右の止部が重なり合う範囲が広がり、左止部に設けた左鎖穴と右止部に設けた右鎖穴とが概一致して、球鎖を通すことが可能になるようにし、左右の腕部を押さないときは、左鎖穴と右鎖穴とが重なる範囲が小さく、球鎖を通さないように構成する。
そして、ロック体を基部に近づけて置いた場合は、左鎖穴と右鎖穴とが概一致するまで左右の腕部を撓ませることが可能であるが、ロック体を左止部及び右止部に近づけて置いた場合は、左右の腕部が撓まないようロック体が制限し、左鎖穴と右鎖穴とが重なる範囲を小さく止めるようにする。
【発明の効果】
【０００８】
男性性器を確実にくくり締めることが可能なＥＤ患者用の補助バンドであって、下側を開放し、内側に洗浄を阻害する部分のない留具を有するＥＤ患者用の補助バンドを提供することができた。
また、留具の保持部に球鎖の端球部を掛け止める構成とし、保護カバの環の外周を開放することにより、簡単に組付・分解することが可能であって、球鎖や留具の内部や保護カバの全面を洗浄する作業を容易かつ確実に行うことが可能な、ＥＤ患者用の補助バンドを提供することができた。
【図面の簡単な説明】
【０００９】
【図１】補助バンドの一部を断面にした側面図である。
【図２】留具に球鎖の先端部を挿入していない補助バンドの部分平面図である。
【図３】図２のＫ−Ｋ視断面図である。
【図４】補助バンドの部分背面図である。
【図５】球鎖の先端部を挿入した留具の平面視断面図である。
【図６】自由状態、球鎖を挿入出する状態及び球鎖が弛まないよう固定した状態の留具の正面図である。
【図７】補助バンドの一部を断面にした側面図である。
【図８】留具に球鎖の先端部を挿入していない補助バンドの部分平面図である。
【図９】球鎖の先端部を挿入した留具の平面視断面図である。
【図１０】補助バンドの使用状態を表す図である。
【発明を実施するための形態】
【００１０】
複数の球部を連結部により繋いでなる球鎖を使用した、ＥＤ患者用の補助バンドの留具であって、留具は留具本体とロック板とからなるものとする。また留具に球鎖を通す方向を前後方向とする。
そして留具本体は、基部と、基部の左右前側にそれぞれ設けた左腕部及び右腕部と、左腕部の前方右側に設けた左止部と、右腕部の前方左側に設けた右止部と、基部の上部前側に設けたガイド部と、基部の下部後側に設けた保持部とからなり、左止部と右止部の先端部分は、前後方向から見て互いに重なり合うものとする。
このようにすると自由状態において、基部、左腕部、右腕部、左止部及び右止部により、平面視において概四角形又は概五角形の区画をしきる配置となり、ガイド部はしきった区画の天井の一部を構成し、下側を開放した留具本体とすることができる。
また基部は、球通穴である基鎖穴を有するものとし、左止部及び右止部は球通穴である左鎖穴及び右鎖穴をそれぞれ有するものとし、前記ガイド部は長穴であるガイド穴を有するものとする。球通穴は球鎖の球部が通る穴であれば構わないが、球鎖の球部の外径より０．２〜１ｍｍ大きな直径の穴とすることが好ましい。
そして保持部に、球鎖の端球部を掛け止めることが可能な構成とし、保持部は、球鎖の連結部は通すが球部は通さない長穴であって、基鎖穴とつながる溝穴を有するものとし、保持部に端球部を掛け止めたときに、球鎖の端球連結部が溝穴を貫通するよう構成する。
保持部に端球部を確実に掛け止めることが可能であれば、保持部の側面視が概Ｖ字状であっても概Ｕ字状であっても、側面視の一部に円弧を有していても円弧を有さない形状であっても構わない。溝穴は基鎖穴とつながっているので、基鎖穴に球鎖の端球部を挿入出し、溝穴に端球連結部を通した状態にして、端球部を保持部に移動させることにより、球鎖を留具本体に脱着することが可能である。
留具本体は左腕部と右腕部が弾性を有するものである限り、鉄板を溶接接合した構成としたり、鉄板を折り曲げた構成にしたり、板状の樹脂材を接合したり、樹脂材を一体成形した構成とするなど可能である。
【００１１】
またロック体は、ロック部とつまみ部と首部とを有する構成とし、つまみ部をガイド部の上側にして、ロック部をガイド部の下側にして、首部をガイド穴に貫通させて取り付ける。そして、ガイド穴によってロック体を案内することにより、基部近くから左止部及び右止部近くの位置まで、ロック体を移動可能に構成する。
ロック部によって左腕部と右腕部が撓むことを制限することが可能であれば、ロック部が板状であっても棒状であっても構わない。また球鎖を通す開口を設けた枠形状や門形形状などのロック部とすることも可能である。しかし、球通穴であるロック穴を明けた板状のロック部とすると、ロック穴によって球鎖の球部が大きく動くことを制限することができるため好ましい。
そしてロック体を基部近くに置き、左腕部と右腕部の前側先端部を指で摘んで押した場合に、左腕部及び右腕部が撓んで左止部と右止部とが重なる範囲が拡大し、左鎖穴と右鎖穴とが概一致して球鎖の球部を通すことが可能になるものとする。一方、ロック体を左止部及び右止部に近づけて置いた場合は、左腕部と右腕部が撓むことをロック体が制限し、左鎖穴と右鎖穴とが重なってできる開口は、球鎖の球部を通さない構成とする。  
球鎖の先端部を通すときには、ロック体を基部近くに置き、左腕部と右腕部の前側先端部を指で摘んで押すことにより、左腕部及び右腕部を撓ませ、左鎖穴と右鎖穴とを概一致させて球鎖を通す。
その後、左腕部と右腕部の先端部を摘んだ指を離すと、撓んでいた左腕部及び右腕部が元に戻ろうとして、左止部と右止部がそれぞれ左右外側に移動し、左鎖穴と右鎖穴とがそれぞれ球鎖の連結部に接した状態で止まる。このとき、左鎖穴と右鎖穴とが重なってできる開口には、球鎖の連結部は通るが球部は通らないため、留具本体の左止部と右止部により球鎖が弛まないよう固定する。
さらにその後、ロック板を左止部及び右止部に近づけて置くと、左腕部と右腕部が内側に撓むことをロック板が制限し、左鎖穴と右鎖穴とが重なってできる開口が拡大することを防ぎ、留具は球鎖の球部が通らない状態を確実に維持する。
【００１２】
上記した留具であって、左腕部と右腕部の前側先端部を指で摘んで押した場合に、左腕部及び右腕部がガイド部にそれぞれ接触するよう構成し、左腕部及び右腕部がガイド部に接触したときに、左鎖穴と右鎖穴とが概一致して、球鎖の球部を通すことが可能になるよう構成した留具とする。
左腕部及び右腕部を撓ませたときに押し付ける相手がないと、左鎖穴と右鎖穴とを一致させた位置に調節することが困難であるが、ガイド部に接触させこれに左腕部及び右腕部を押し付けて位置決めする構成とすれば、左鎖穴と右鎖穴とを概一致させることが容易になり、好ましいからである。
左腕部及び右腕部がガイド部と接触する位置について、特にこだわるものではないが、左腕部と右腕部の前側先端部に設けると、指で摘む位置に近いので好ましい。
上記したいずれかの留具であって、ロック体は板状のロック部を有するものとし、球鎖の球部の外径より０．２〜１ｍｍ大きな直径の球通穴を、ロック部に設けた留具とする。ロック部にかかる球通穴を明けて球鎖を通す構成にすると、球鎖の球部が大きく動くことを制限するため好ましいからである。
上記したいずれかの留具であって、留具本体の基部、左腕部、右腕部、左止部、右止部、ガイド部及び保持部が、いずれも同じ一枚の板から抜き出してなるものとする。
そして左腕部、右腕部、ガイド部及び保持部が、それぞれ基部に対して折り曲げてなる構成とし、また、左止部が左腕部に対して折り曲げてなる構成とし、さらに、右止部が右腕部に対して折り曲げてなる構成とした留具とする。
一枚の板から打ち抜き加工やレーザー切断などの方法で抜き出した材料を、折り曲げ加工して留具本体を製造する方法は、製造工数と加工エネルギーを低減するため好ましいからである。
【００１３】
上記したいずれかの留具と、球鎖及び保護カバを有するＥＤ患者用の補助バンドとする
。保護カバは、補助バンドによって男性性器をくくり締めたときに、球鎖の球部によって男性性器が局部的に痛くなることを防止するためのものである、軟質な材料であれば素材についてこだわるものではない。
上記したＥＤ患者用の補助バンドであって、保護カバを、留具と球鎖とによって構成する環の内側に設け、保護カバの環の外周を開放したＥＤ患者用の補助バンドとする。
球鎖は複数の球部を連結部によって繋いだものとし、留具の保持部に端球部を掛け止め、男性性器を１回巻いて留具に通したときに、球鎖の先端部が金具の基部から適宜外に出る長さとすることが好ましい。
保護カバは、留具と球鎖とによって構成する環の内側に設ければ十分であり、保護カバの断面をＵ字断面としたり、保護カバの断面の外周側に切り込みを設けるなどして、環の外周を開放することにより、球鎖や留具に対して保護カバを容易に着脱することを可能とすると共に、保護カバの内外面の洗浄を容易にする。
【実施例１】
【００１４】
以下本発明の実施例を図１〜図６に示し説明する。実施例１にかかる補助バンド１はＥＤ患者用の補助バンドであって、留具２、球鎖３及び保護カバ４とからなっている。また、留具２は留具本体５とロック体６とからなっている。
留具本体５は、一枚のバネ綱の板から打ち抜き加工により抜き出した各部分を、折り曲げ加工することにより構成した。そして留具本体５は基部５ａと、基部５ａの左右前側にそれぞれ設けた左腕部５ｂ及び右腕部５ｅと、左腕部５ｂの前方右側に設けた左止部５ｃと、右腕部５ｅの前方左側に設けた右止部５ｆと、基部５ａの上部前側に設けたガイド部５ｎと、基部５ａの下部後側に設けた保持部５ｊとからなるものとした。
自由状態において、左止部５ｃと右止部５ｆが共にその先端に向かうにつれて基部５ａから離れるようにし、基部５ａ、左腕部５ｂ、右腕部５ｅ、左止部５ｃ及び右止部５ｆにより、平面視で概五角形の区画をしきるよう配置し、ガイド部５ｎは概五角形の区画の天井の一部を構成するよう配置した。
本実施例では自由状態において、左止部５ｃと右止部５ｆの先端部分は前後方向から見て互いに重なり合い、左止部５ｃの先端が右止部５ｆの後側の面に接する形となっているが、これと左右逆の関係に構成したり、左止部５ｃと右止部５ｆとが接触しない構成にしても構わない。
基部５ａには、球鎖３の球部の外径より０．２〜０．５ｍｍ大きな球通穴である基鎖穴５ｈを明け、保持部５ｊの溝穴５ｍと基鎖穴５ｈとがつながるようにした。そして保持部５ｊは、側面視で円弧部を有する概Ｖ字形状を有するものとし。保持部５ｊの平面視の中央部に、球鎖３の連結部は通すが球部は通さない長穴である溝穴５ｍを設け、円弧部の溝穴５ｍに球鎖３の端球部３ａを置いたときに、端球部３ａの外径と保持部５ｊの円弧部の外径とがほぼ一致するように構成した。
【００１５】
ガイド部５ｎは平面視において、基部５ａ側から前側に向かうにつれて左右方向の幅が狭くなる概台形形状を有しており、基部５ａ付近から左止部５ｃ及び右止部５ｆ近くまで長穴を設けこれをガイド穴５ｐとした。
左止部５ｃと右止部５ｆには、球鎖３の球部の外径より０．２〜０．５ｍｍ大きな球通穴である左鎖穴５ｄと右鎖穴５ｇをそれぞれ設け、左腕部５ｂと右腕部５ｅの前側先端部を指で摘んで押した場合に、左腕部５ｂ及び右腕部５ｅが撓んで左止部５ｃと右止部５ｆとが重なる範囲が拡大し、左腕部５ｂ及び右腕部５ｅが撓んでガイド部５ｎの先端近くに接触したときに、左止部５ｃと右止部５ｆとが概平行状態となり、このとき左鎖穴５ｄと右鎖穴５ｇとが概一致するよう構成した。
またロック体６は、板状のロック部６ａとつまみ部６ｂと首部６ｄとからなるものとし、ロック部６ａには、球鎖３の球部の外径より０．２〜０．５ｍｍ大きな球通穴であるロック穴６ｃを明けた。そして、つまみ部６ｂをガイド部５ｎの上側にして、ロック部６ａをガイド部５ｎの下側にして、首部６ｄをガイド穴５ｐに貫通させて、ロック体６を留具本体５に取り付けた。
球鎖３は複数の球部を連結部で繋いだものである。球鎖３の端部にある端球部３ａを基部５ａの前側から後側に通し、端球部３ａを保持部５ｊに移動させ、保持部５ｊの円弧部に端球部３ａを掛け止める。このとき、端球連結部３ｂは溝穴５ｍを貫通し、球鎖３全体が留具本体５に連結する。
保護カバ４はシリコン樹脂からなる、断面概略Ｕ字形状を有するものとした。男性性器８に補助バンド１を取り付けたときに、補助バンド１の環の内側と両側面の内側部分を覆うものとし、重なり部４ａを設けて保護カバ４の端部が重なるように構成した。
【００１６】
補助バンド１を使用するときは、補助バンド１を環にして男性性器８の根元に取り付ける。予めロック体６を基部５ａ近くに位置させ、左腕部５ｂと右腕部５ｅの前側先端部を指で摘んで押し、左鎖穴５ｄと右鎖穴５ｇとを概一致させて（図６（ｂ）参照。）、球鎖３を右鎖穴５ｇ、左鎖穴５ｄ、ロック穴６ｃ及び基鎖穴５ｈを通過させ、球鎖３の先端を留具２の外に出す（図５（ａ）参照。）。
その後、球鎖３の先端を引っ張り男性性器８をくくり締め、締め付け力を調節して適度に静脈を狭めた状態で、左腕部５ｂと右腕部５ｅの前側先端部を摘んでいた指を離すと、左腕部５ｂと右腕部５ｅは自由状態に戻ろうとするが、左鎖穴５ｄと右鎖穴５ｇがそれぞれ連結部３ｄに接触した状態で止まり、連結部３ｄが左腕部５ｂと右腕部５ｅの弾性反力を左右方向に受けた状態となる。このとき、左鎖穴５ｄと右鎖穴５ｇとが重なってできる開口は、連結部３ｄは通すが球部は通さない開口となり（図６（ｃ）参照。）、留具本体５によって球鎖３が弛まないよう止球部３ｃを固定する。
さらに、つまみ部６ｂを摘んで、ロック体６を左止部５ｃ及び右止部５ｆ近くに移動させる（図５（ｂ）参照。）。このようにすると、ロック体６のロック穴６ｃが止球部３ｃの左右方向の動きを制限すると共に、左腕部５ｂ及び右腕部５ｅが内側に撓むことをロック部６ａが制限し、左鎖穴５ｄと右鎖穴５ｇとが重なってできる開口は止球部３ｃを通さない。このため、不測の外力が加わった場合でも、留具２は球鎖３が弛まないようの止球部３ｃを確実に固定する。
【００１７】
補助バンド１を解放するときは、つまみ部６ｂを摘んでロック体６を基部５ａ近くに移動させ、左腕部５ｂと右腕部５ｅの前側先端部を指で摘んで押し、左鎖穴５ｄと右鎖穴５ｇとを概一致させて、球鎖３を抜き出す。
補助バンド１の使用後には洗浄して、補助バンド１を清潔に保つことが好ましいが、洗浄する前に保護カバ４、球鎖３、留具本体５及びロック板６を別々に分解し、分解した個々の部品を洗浄する。
このとき、保護カバ４は断面Ｕ字型であるため、補助バンド１から取り外すことが容易である。また球鎖３を取り外すときは、端球部３ａを保持部５ｊから基部５ａに移動させ、端球部３ａを基部５ａの後側から前側に抜き出す。ロック体６は、つまみ部６ｂを摘んで平面視で９０度回転させることにより、ロック部６ａをガイド穴５ｐから抜き出すことができる。
留具本体５はその下側を開放すると共に、内側に洗浄を阻害する部分もないので、留具本体５の洗浄は容易である。また、保護カバ４は断面Ｕ字型であるため、その全面の洗浄が容易である。
【実施例２】
【００１８】
以下本発明の他の実施例を図７〜図９に示し説明する。実施例２にかかる補助バンド１０は、実施例１の補助バンド１が留具本体５を使用しているのに対して、留具本体７を使用した点で異なる。
さらに、留具本体５が自由状態において、基部５ａ、左腕部５ｂ、右腕部５ｅ、左止部５ｃ及び右止部５ｆにより、平面視で概五角形の区画をしきるよう配置したのに対して、留具本体７は自由状態において、基部７ａ、左腕部７ｂ、右腕部７ｅ、左止部７ｃ及び右止部７ｆにより、平面視で概四角形の区画をしきるよう配置した点と、留具本体５の保持部５ｊの側面視が円弧部を有する概Ｖ字形状としたのに対して、留具本体７の保持部７ｊの側面視を概Ｕ字形状にした点で異なる。重複した記載をさけるため、実施例１と異なる構成だけを記載する。
実施例２の留具本体７は自由状態において、左止部７ｃと右止部７ｆとが概平行であって、左止部７ｃと右止部７ｆの先端部分は前後方向から見て互いに重なり合うものとし、基部７ａ、左腕部７ｂ、右腕部７ｅ、左止部７ｃ及び右止部７ｆにより、平面視で概四角形の区画をしきるよう配置した。
そして、左腕部７ｂと右腕部７ｅの前側先端部を指で摘んで押した場合に、左止部７ｃと右止部７ｆとが互いに押し合いながら概平行状態を維持しつつ、左止部７ｃと右止部７ｆとが重なる範囲が拡大し、左腕部７ｂ及び右腕部７ｅが撓んでガイド部７ｎの先端近くに接触したときに、左鎖穴７ｄと右鎖穴７ｇとが概一致するよう構成した。
保持部７ｊは側面視で、基部７ａに対する角度Ａを８０〜５５に設けた直線部と、円弧部とからなる概Ｕ字形状の保持部７ｊとしたものである。
球鎖３を取り付けるときは、端球部３ａを基部７ａの後側から前側に通し、端球部３ａを円弧部に移動させ、保持部７ｊの円弧部に端球部３ａを掛け止め、端球連結部３ｂを溝穴７ｍに通し、球鎖３を留具本体７に連結する。球鎖３を取り外すときは、端球部３ａを保持部７ｊから基部７ａに移動させ、端球部３ａを基部７ａの前側から後側に抜き出す。
【産業上の利用可能性】
【００１９】
本発明は、ＥＤ患者用の補助バンドを製造販売する産業だけでなく、ＥＤ患者を治療する医療関連産業などでも利用することができる。
【符号の説明】
【００２０】
１  ：補助バンド                ２  ：留具                  ３  ：球鎖
３ａ：端球部                    ３ｂ：端球連結部            ３ｃ：止球部
３ｄ：連結部                    ４  ：保護カバ              ４ａ：重なり部
５  ：留具本体                  ５ａ：基部                  ５ｂ：左腕部
５ｃ：左止部                    ５ｄ：左鎖穴                ５ｅ：右腕部
５ｆ：右止部                    ５ｇ：右鎖穴                ５ｈ：基鎖穴
５ｊ：保持部                    ５ｍ：溝穴                  ５ｎ：ガイド部
５ｐ：ガイド穴                  ６  ：ロック体              ６ａ：ロック部
６ｂ：つまみ部                  ６ｃ：ロック穴              ６ｄ：首部
７  ：留具本体                  ７ａ：基部                  ７ｂ：左腕部
７ｃ：左止部                    ７ｄ：左鎖穴                ７ｅ：右腕部
７ｆ：右止部                    ７ｇ：右鎖穴                ７ｊ：保持部
７ｍ：溝穴                      ７ｎ：ガイド部              ８  ：男性性器
１０  ：補助バンド
【図１】
0005719550.tif 000002
【図２】
0005719550.tif 000003
【図３】
0005719550.tif 000004
【図４】
0005719550.tif 000005
【図５】
0005719550.tif 000006
【図６】
0005719550.tif 000007
【図７】
0005719550.tif 000008
【図８】
0005719550.tif 000009
【図９】
0005719550.tif 000010
【図１０】
0005719550.tif 000011